(57)【特許請求の範囲】
【請求項１】
プラットホームに設置された戸袋体と、
前記戸袋体内に収容される収容位置と、前記戸袋体から突出する突出位置と、の間で変位する親扉と、
前記親扉に対して相対的に変位する子扉と、
前記子扉を、前記親扉に対して摺動可能に連結する連結機構と、を備え、
前記親扉は、前記子扉を保持する保持枠と、前記保持枠から取り外し可能なカバーと、を含み、
前記保持枠は、プラットホーム空間側に配置される前壁と前記前壁の反対の軌道空間側に配置される背壁と前記前壁と前記背壁とを繋ぐ上壁と前記上壁の下方において前記前壁と前記背壁とを繋ぐ下壁とを含み、
前記カバーは、前記前壁に連結され、前記保持枠によって規定される内部空間を閉じており、
前記子扉は、前記親扉が前記収容位置に変位したときに、前記内部空間内に収容される位置に変位するとともに、前記親扉が前記突出位置まで変位したときに、前記親扉から前記戸袋体とは反対方向に突出する位置まで変位するように構成され、
前記突出位置にある前記親扉から前記カバーが取り外されると、前記連結機構は、少なくとも部分的に露出する
プラットホームドア。
【請求項２】
前記連結機構は、前記保持枠に取り付けられたレールと、前記レールと前記子扉とに接続されたスライダと、を含み、
前記親扉は、第１領域と、前記第１領域の隣の第２領域と、を含み、
前記親扉が前記突出位置にあるとき、前記第２領域は、前記戸袋体から突出する一方で、前記第１領域は、前記戸袋体内に位置し、
前記親扉が前記突出位置にあるとき、前記スライダは、前記第２領域に位置し、
前記突出位置にある前記親扉から前記カバーが取り外されると、前記スライダは、露出する
請求項１に記載のプラットホームドア。
【請求項３】
プラットホームに設置された戸袋体と、
前記戸袋体内に収容される収容位置と、前記戸袋体から突出する突出位置と、の間で変位する親扉と、
前記親扉に対して相対的に変位する子扉と、
前記子扉を、前記親扉に対して摺動可能に連結する連結機構と、を備え、
前記親扉は、前記子扉を保持する保持体と、前記保持体から取り外し可能なカバーと、を含み、
前記突出位置にある前記親扉から前記カバーが取り外されると、前記連結機構は、少なくとも部分的に露出し、
前記親扉は、第１方向に変位し、前記収容位置から前記突出位置に向かい、
前記カバーは、前記第１方向に引き出され、前記保持体から分離され、且つ、前記第１方向とは反対の第２方向に押し込まれ、前記保持体に取り付けられる
プラットホームドア。
【請求項４】
前記カバーは、前記第１方向に延びる溝部を形成する溝縁を含み、
前記保持体は、前記溝縁に嵌り込む突縁を含み、
前記溝縁と前記突縁との間の噛み合いは、前記カバーの変位方向を、前記第１方向又は前記第２方向に規定する
請求項３に記載のプラットホームドア。
【請求項５】
前記保持体は、前記第１方向に延びる溝部を形成する溝縁を含み、
前記カバーは、前記溝縁に嵌り込む突縁を含み、
前記溝縁と前記突縁との間の噛み合いは、前記カバーの変位方向を、前記第１方向又は前記第２方向に規定する
請求項３に記載のプラットホームドア。
【請求項６】
前記親扉は、前記カバーと前記保持体とを締結する第１締結具を含み、
前記保持体は、前記親扉が前記突出位置にあるとき、前記戸袋体内に位置する第１領域と、前記親扉が前記突出位置にあるとき、前記戸袋体から露出する第２領域と、を含み、
前記第１締結具は、前記カバーを前記第１領域で固定する
請求項３乃至５のいずれか１項に記載のプラットホームドア。
【請求項７】
前記親扉は、前記第２領域において、前記カバーと前記保持体とを締結する第２締結具を含み、
前記第１締結具は、前記カバーを前記第１方向に交差する交差方向に貫き、
前記第２締結具は、前記カバーを前記第２方向に貫く
請求項６に記載のプラットホームドア。
【請求項８】
前記戸袋体は、
（ｉ）前記親扉が収容される第１収容空間を規定する主筐体部と、
（ｉｉ）前記親扉の変位を制御する制御部が収容される第２収容空間を、前記主筐体部と協働して規定する蓋部と、
（ｉｉｉ）前記第１収容空間を閉じる閉位置と、前記第１収容空間を露出させる開位置と、の間で変位する扉体と、
（ｉｖ）前記扉体を前記閉位置において前記主筐体部に固定する鍵部と、
（ｖ）前記第１収容空間内で、前記蓋部を前記主筐体部に接続させる接続機構と、を含み、
前記接続機構は、
（ａ）前記蓋部に取り付けられた第１フックと、
（ｂ）前記第１フックに係合する第２フックと、
（ｃ）前記第１フックに係合した前記第２フックを弾性的に変形させるロック位置と、
前記第２フックの弾性変形を解除する解除位置と、の間で手動式に変位されるレバーと、を含む
請求項１乃至７のいずれか１項に記載のプラットホームドア。
【発明の詳細な説明】
【技術分野】
【０００１】
本発明は、列車が通過する軌道空間を、プラットホーム上のプラットホーム空間から仕切るプラットホームドアに関する。
【背景技術】
【０００２】
プラットホームドアは、様々な駅に利用されている。プラットホームドアは、プラットホーム上の乗客を、列車が通過する軌道空間から隔離する。特許文献１は、戸袋体と、親扉と、子扉と、を備えるプラットホームドアを開示する。親扉は、戸袋体から突出し、且つ、子扉は、親扉から突出するので、特許文献１のプラットホームドアは、広い空間を、開いたり、閉じたりすることができる。
【先行技術文献】
【特許文献】
【０００３】
【特許文献１】特開２０１４−４９５９号公報
【発明の概要】
【発明が解決しようとする課題】
【０００４】
特許文献１は、子扉を親扉に対して相対的に変位させるための駆動機構を開示する。駆動機構は、親扉内に収容されるので、作業者は、駆動機構を点検及び／又は修繕するために長い時間を費やさなければならない。
【０００５】
本発明は、効率的なメンテナンス作業を可能にする構造を有するプラットホームドアを提供することを目的とする。
【課題を解決するための手段】
【０００６】
本発明の一局面に係るプラットホームドアは、前記プラットホームに設置された戸袋体と、前記戸袋体内に収容される収容位置と、前記戸袋体から突出する突出位置と、の間で変位する親扉と、前記親扉に対して相対的に変位する子扉と、前記子扉を、前記親扉に対して摺動可能に連結する連結機構と、を備える。前記親扉は、前記子扉を保持する保持枠と、前記保持枠から取り外し可能なカバーと、を含む。前記保持枠は、プラットホーム空間側に配置される前壁と前記前壁の反対の軌道空間側に配置される背壁と前記前壁と前記背壁とを繋ぐ上壁と前記上壁の下方において前記前壁と前記背壁とを繋ぐ下壁とを含む。前記カバーは、前記前壁に連結され、前記保持枠によって規定される内部空間を閉じている。前記子扉は、前記親扉が前記収容位置に変位したときに、前記内部空間内に収容される位置に変位するとともに、前記親扉が前記突出位置まで変位したときに、前記親扉から前記戸袋体とは反対方向に突出する位置まで変位するように構成される。前記突出位置にある前記親扉から前記カバーが取り外されると、前記連結機構は、少なくとも部分的に露出する。
【０００７】
上記構成によれば、突出位置にある親扉から前記カバーが取り外されると、連結機構は、少なくとも部分的に露出するので、作業者は、連結機構を、効率的に点検及び／又は修繕することができる。
【０００８】
上記構成において、前記連結機構は、前記保持枠に取り付けられたレールと、前記レールと前記子扉とに接続されたスライダと、を含んでもよい。前記親扉は、第１領域と、前記第１領域の隣の第２領域と、を含んでもよい。前記親扉が前記突出位置にあるとき、前記第２領域は、前記戸袋体から突出する一方で、前記第１領域は、前記戸袋体内に位置してもよい。前記親扉が前記突出位置にあるとき、前記スライダは、前記第２領域に位置してもよい。前記突出位置にある前記親扉から前記カバーが取り外されると、前記スライダは、露出してもよい。
【０００９】
上記構成によれば、突出位置にある親扉からカバーが取り外されると、スライダは、露出するので、作業者は、スライダを、効率的に点検及び／又は修繕することができる。
【００１０】
本発明の一局面に係るプラットホームドアは、プラットホームに設置された戸袋体と、前記戸袋体内に収容される収容位置と、前記戸袋体から突出する突出位置と、の間で変位する親扉と、前記親扉に対して相対的に変位する子扉と、前記子扉を、前記親扉に対して摺動可能に連結する連結機構と、を備える。前記親扉は、前記子扉を保持する保持体と、前記保持体から取り外し可能なカバーと、を含む。前記突出位置にある前記親扉から前記カバーが取り外されると、前記連結機構は、少なくとも部分的に露出する。前記親扉は、第１方向に変位し、前記収容位置から前記突出位置に向かってもよい。前記カバーは、前記第１方向に引き出され、前記保持体から分離され、且つ、前記第１方向とは反対の第２方向に押し込まれ、前記保持体に取り付けられる。
【００１１】
上記構成によれば、カバーは、第１方向に引き出され、保持体から分離され、且つ、第１方向とは反対の第２方向に押し込まれ、保持体に取り付けられるので、カバーは、第１方向及び第２方向に交差する交差方向に意図せず倒れにくくなる。したがって、カバーと、プラットホームドアの傍らに立つ乗客と、の間の衝突は生じにくくなる。
【００１２】
上記構成において、前記カバーは、前記第１方向に延びる溝部を形成する溝縁を含んでもよい。前記保持体は、前記溝縁に嵌り込む突縁を含んでもよい。前記溝縁と前記突縁との間の噛み合いは、前記カバーの変位方向を、前記第１方向又は前記第２方向に規定してもよい。
【００１３】
上記構成によれば、突縁は、溝縁に嵌り込むので、カバーは、第１方向及び第２方向に交差する交差方向に意図せず倒れにくくなる。したがって、カバーと、プラットホームドアの傍らに立つ乗客と、の間の衝突は生じにくくなる。
【００１４】
上記構成において、前記保持体は、前記第１方向に延びる溝部を形成する溝縁を含んでもよい。前記カバーは、前記溝縁に嵌り込む突縁を含んでもよい。前記溝縁と前記突縁との間の噛み合いは、前記カバーの変位方向を、前記第１方向又は前記第２方向に規定してもよい。
【００１５】
上記構成によれば、突縁は、溝縁に嵌り込むので、カバーは、第１方向及び第２方向に交差する交差方向に意図せず倒れにくくなる。したがって、カバーと、プラットホームドアの傍らに立つ乗客と、の間の衝突は生じにくくなる。
【００１６】
上記構成において、前記親扉は、前記カバーと前記保持体とを締結する第１締結具を含んでもよい。前記保持体は、前記親扉が前記突出位置にあるとき、前記戸袋体内に位置する第１領域と、前記親扉が前記突出位置にあるとき、前記戸袋体から露出する第２領域と、を含んでもよい。前記第１締結具は、前記カバーを前記第１領域で固定してもよい。
【００１７】
上記構成によれば、第１締結具は、カバーを、戸袋体内に位置する第１領域で固定するので、第１締結具は、不必要に操作されにくくなる。
【００１８】
上記構成において、前記親扉は、前記第２領域において、前記カバーと前記保持体とを締結する第２締結具を含んでもよい。前記第１締結具は、前記カバーを前記第１方向に交差する交差方向に貫いてもよい。前記第２締結具は、前記カバーを前記第２方向に貫いてもよい。
【００１９】
上記構成によれば、第１締結具が、カバーを交差方向に貫く一方で、第２締結具は、第２方向に貫くので、カバーは、様々な力が加えられる環境下においても、保持体に適切に固定される。
【００２０】
上記構成において、前記戸袋体は、（ｉ）前記第１扉及び前記第２扉が収容される第１収容空間を規定する主筐体部と、（ｉｉ）前記駆動機構を制御する制御部が収容される第２収容空間を、前記主筐体部と協働して規定する蓋部と、（ｉｉｉ）前記第１収容空間を閉じる閉位置と、前記第１収容空間を露出させる開位置と、の間で変位する扉体と、（ｉｖ）前記扉体を前記閉位置において前記主筐体部に固定する鍵部と、（ｖ）前記第１収容空間内で、前記蓋部を前記主筐体部に接続させる接続機構と、を含んでもよい。前記接続機構は、（ａ）前記蓋部に取り付けられた第１フックと、（ｂ）前記第１フックに係合する第２フックと、（ｃ）前記第１フックに係合した第２フックを弾性的に変形させるロック位置と、前記第２フックの弾性変形を解除する解除位置と、の間で手動式に変位されるレバーと、を含んでもよい。
【００２１】
上記構成によれば、鍵部は、扉体を閉位置において主筐体部に固定するので、接続機構は、不必要に操作されない。作業者は、鍵部を操作し、扉体と主筐体との間の固定を解除することができる。その後、作業者は、レバーを操作し、第１フックと第２フックとの間の係合を弱めることができるので、作業者は、鍵を用いることなく、第２収容空間を開放することができる。
【発明の効果】
【００２２】
上述のプラットホームドアは、効率的なメンテナンス作業を可能にする。
【図面の簡単な説明】
【００２３】
【図１】第１実施形態のプラットホームドアの概念的な正面図である。
【図２】図１に示されるプラットホームドアの概念的な正面図である。
【図３】図１に示されるプラットホームドアの概念的な正面図である。
【図４】第２実施形態の親扉の概念的な縦断面図である。
【図５】第３実施形態の親扉の概念的な縦断面図である。
【図６】第４実施形態のプラットホームドアの概略的な正面図である。
【図７】図６に示されるプラットホームドアの概略的な正面図である。
【図８】図７に示されるプラットホームドアの概略的な縦断面図である（第５実施形態）。
【図９】図７に示されるプラットホームドアの概略的な横断面図である（第６実施形態）。
【図１０】図７に示されるプラットホームドアの概略的な横断面図である（第７実施形態）。
【図１１】図６に示されるプラットホームドアの概略的な右側面図である（第８実施形態）。
【図１２】図６に示されるプラットホームドアのカバープレートの概略的な斜視図である。
【図１３Ａ】図６に示されるプラットホームドアの保持枠の拡大右側面図である。
【図１３Ｂ】図６に示されるプラットホームドアの保持枠の拡大右側面図である。
【図１４】図７に示されるプラットホームドアの戸袋体の概略的な縦断面図である（第９実施形態）。
【図１５】図１４に示される戸袋体の接続機構の概略的な拡大図である。
【発明を実施するための形態】
【００２４】
添付の図面を参照して、プラットホームドアの様々な実施形態が説明される。「前」、「奥」、「左」、「右」、「上」及び「下」といった方向を表す用語は、プラットホームドアに対向してプラットホームに立つ乗客を基準に用いられている。しかしながら、これらの用語は、説明の明瞭化のみを目的とし、以下の実施形態の原理を限定しない。
【００２５】
＜第１実施形態＞
図１は、第１実施形態のプラットホームドア１００の概念的な正面図である。図１を参照して、プラットホームドア１００が説明される。
【００２６】
プラットホームドア１００は、戸袋体２００と、親扉３００と、子扉４００と、連結機構５００と、を備える。戸袋体２００は、プラットホームＰＬＦ上に設置される。図１に示される親扉３００は、戸袋体２００から突出した位置に配置されている。親扉３００は、左方に変位し、戸袋体２００内に収容される。図１に示される子扉４００は、親扉３００から突出した位置に配置されている。子扉４００は、親扉３００に対して相対的に変位することができる。子扉４００は、左方に変位し、親扉３００内に収容される。連結機構５００は、親扉３００と子扉４００との間に配置される。連結機構５００は、子扉４００を、親扉３００に摺動可能に連結する。連結機構５００は、レールとスライダとの組み合わせであってもよい。代替的に、連結機構５００は、ロッドとスライド軸受との組み合わせであってもよい。本実施形態の原理は、連結機構５００の特定の構造に限定されない。
【００２７】
親扉３００は、保持枠３１０と、カバープレート３２０と、を含む。保持枠３１０は、子扉４００を保持する。連結機構５００は、保持枠３１０に取り付けられる。カバープレート３２０は、保持枠３１０から取り外し可能である。カバープレート３２０は、右方にスライドされ、保持枠３１０から取り外されてもよい。代替的に、カバープレート３２０は、手前に取り外されてもよい。本実施形態の原理は、カバープレート３２０の特定の取り外し方向に限定されない。本実施形態において、保持体は、保持枠３１０によって例示される。カバーは、カバープレート３２０によって例示される。
【００２８】
図２は、プラットホームドア１００の概念的な正面図である。図１及び図２を参照して、プラットホームドア１００が更に説明される。
【００２９】
親扉３００が左方へ変位すると、子扉４００も左方へ変位する。この結果、親扉３００が、戸袋体２００内に収容されると、子扉４００は、親扉３００内に収容される。親扉３００が右方へ変位すると、子扉４００も右方へ変位する。この結果、親扉３００が、戸袋体２００から右方に突出すると、子扉４００は、親扉３００から右方に突出する。本実施形態において、突出位置は、図１に示される親扉３００の位置によって例示される。収容位置は、図２に示される親扉３００の位置によって例示される。第１方向は、右方向によって例示される。第２方向は、左方向によって例示される。
【００３０】
図３は、カバープレート３２０が除去された後のプラットホームドア１００の概念的な正面図である。図１及び図３を参照して、プラットホームドア１００が更に説明される。
【００３１】
上述の如く、作業者は、親扉３００及び子扉４００を戸袋体２００から突出させることができる。その後、作業者は、カバープレート３２０を保持枠３１０から除去することができる。この結果、連結機構５００は、親扉３００から少なくとも部分的に露出する。したがって、作業者は、連結機構５００を効率的に点検及び／又は修繕することができる。
【００３２】
＜第２実施形態＞
設計者は、親扉に様々な構造を与えることができる。第２実施形態において、親扉の例示的な構造が説明される。
【００３３】
図４は、第２実施形態の親扉３００Ａの概念的な縦断面図である。図１及び図４を参照して、親扉３００Ａが説明される。
【００３４】
親扉３００Ａは、保持枠３１０Ａと、カバープレート３２０Ａと、を含む。親扉３００Ａは、図１を参照して説明された親扉３００として利用可能である。保持枠３１０Ａは、図１を参照して説明された保持枠３１０に対応する。カバープレート３２０Ａは、図１を参照して説明されたカバープレート３２０に対応する。
【００３５】
保持枠３１０Ａは、前壁３１１と、背壁３１２と、上壁３１３と、下壁３１４と、を含む。前壁３１１は、カバープレート３２０Ａに連結される。背壁３１２は、前壁３１１及びカバープレート３２０Ａの反対側に配置される。上壁３１３は、前壁３１１と背壁３１２との間で略水平に横たわる。下壁３１４は、上壁３１３の下方において、前壁３１１と背壁３１２との間で略水平に横たわる。
【００３６】
カバープレート３２０Ａは、上縁面３２１と、下縁面３２２と、を含む。上縁面３２１には、上溝３２３が形成される。下縁面３２２には、下溝３２４が形成される。上溝３２３及び下溝３２４は、親扉３００Ａの変位方向（即ち、左方及び右方）に延びる。本実施形態において、溝縁は、上縁面３２１及び下縁面３２２のうち一方によって例示される。溝部は、上溝３２３及び下溝３２４のうち一方によって例示される。
【００３７】
前壁３１１は、上領域壁３１５と、下領域壁３１６と、を含む。上領域壁３１５は、連結機構５００が露出する露出領域の上側境界を規定する。下領域壁３１６は、連結機構５００が露出する露出領域の下側境界を規定する。上領域壁３１５は、上壁３１３から下方に突出し、上溝３２３に挿入される。下領域壁３１６は、下壁３１４から上方に突出し、下溝３２４に挿入される。本実施形態において、突縁は、上領域壁３１５及び下領域壁３１６のうち一方によって例示される。
【００３８】
上領域壁３１５と上溝３２３との間の噛み合い並びに下領域壁３１６と下溝３２４との間の噛み合いの結果、カバープレート３２０Ａの変位方向は左右方向に規定される。したがって、カバープレート３２０Ａは、前方に倒れにくくなる。
【００３９】
作業者が、カバープレート３２０Ａを右方へ引っ張ると、カバープレート３２０Ａは、保持枠３１０Ａから分離される。作業者が、カバープレート３２０Ａを左方へ押し込むと、カバープレート３２０Ａは、前壁３１１に取り付けられる。
【００４０】
＜第３実施形態＞
設計者は、親扉に様々な構造を与えることができる。第３実施形態において、親扉の例示的な構造が説明される。
【００４１】
図５は、第３実施形態の親扉３００Ｂの概念的な縦断面図である。第１実施形態乃至第３実施形態の間で共通して用いられる符号は、当該共通の符号が付された要素が、第１実施形態及び／又は第２実施形態と同一の機能を有することを意味する。したがって、第１実施形態及び／又は第２実施形態の説明は、これらの要素に援用される。図１及び図５を参照して、親扉３００Ｂが説明される。
【００４２】
親扉３００Ｂは、保持枠３１０Ｂと、カバープレート３２０Ｂと、を含む。親扉３００Ｂは、図１を参照して説明された親扉３００として利用可能である。保持枠３１０Ｂは、図１を参照して説明された保持枠３１０に対応する。カバープレート３２０Ｂは、図１を参照して説明されたカバープレート３２０に対応する。
【００４３】
第２実施形態と同様に、保持枠３１０Ｂは、背壁３１２と、上壁３１３と、下壁３１４と、を含む。第２実施形態の説明は、これらの要素に援用される。
【００４４】
保持枠３１０Ｂは、前壁３１１Ｂを更に含む。前壁３１１Ｂは、上領域壁３１５Ｂと、下領域壁３１６Ｂと、を含む。上領域壁３１５Ｂは、連結機構５００が露出する露出領域の上側境界を規定する。下領域壁３１６Ｂは、連結機構５００が露出する露出領域の下側境界を規定する。上領域壁３１５Ｂは、上壁３１３から下方に突出する。下領域壁３１６Ｂは、下壁３１４から上方に突出する。
【００４５】
上領域壁３１５Ｂは、下領域壁３１６Ｂに対向する下縁面３１９を含む。下縁面３１９には、上方に凹設された上溝３３１が形成される。下領域壁３１６Ｂは、下縁面３１９に対向する上縁面３１８を含む。上縁面３１８には、下方に凹設された下溝３３２が形成される。上溝３３１及び下溝３３２は、親扉３００Ｂの変位方向（即ち、左方及び右方）に延びる。本実施形態において、溝縁は、下縁面３１９及び上縁面３１８のうち一方によって例示される。溝部は、上溝３３１及び下溝３３２のうち一方によって例示される。
【００４６】
カバープレート３２０Ｂは、上縁３２５と、下縁３２６と、を含む。上縁３２５は、上溝３３１に嵌め込まれる。上縁３２５とは反対側の下縁３２６は、下溝３３２に嵌め込まれる。この結果、前壁３１１Ｂは、カバープレート３２０Ｂに連結される。本実施形態において、突縁は、上縁３２５及び下縁３２６のうち一方によって例示される。
【００４７】
上縁３２５と上溝３３１との間の噛み合い並びに下縁３２６と下溝３３２との間の噛み合いの結果、カバープレート３２０Ｂの変位方向は左右方向に規定される。したがって、カバープレート３２０Ｂは、前方に倒れにくくなる。
【００４８】
作業者が、カバープレート３２０Ｂを右方へ引っ張ると、カバープレート３２０Ｂは、保持枠３１０Ｂから分離される。作業者が、カバープレート３２０Ｂを左方へ押し込むと、カバープレート３２０Ｂは、前壁３１１Ｂに取り付けられる。
【００４９】
＜第４実施形態＞
設計者は、第１実施形態乃至第３実施形態に関連して説明された設計原理に基づいて、様々なプラットホームドアを設計することができる。第４実施形態において、例示的なプラットホームドアが説明される。
【００５０】
図６は、第４実施形態のプラットホームドア１００Ｃの概略的な正面図である。図１、図４及び図６を参照して、プラットホームドア１００Ｃが説明される。
【００５１】
プラットホームドア１００Ｃは、戸袋体２００Ｃと、右扉１０１と、左扉１０２と、右連結機構５０１と、左連結機構５０２と、を備える。戸袋体２００Ｃは、図１を参照して説明された戸袋体２００に対応する。戸袋体２００に関する説明は、戸袋体２００Ｃに援用される。右扉１０１は、戸袋体２００Ｃから右方に突出する。左扉１０２は、戸袋体２００Ｃから左方に突出する。右連結機構５０１は、右扉１０１に取り付けられる。左連結機構５０２は、左扉１０２に取り付けられる。
【００５２】
右扉１０１は、親扉３００Ｒと、子扉４００Ｒと、を含む。親扉３００Ｒは、図１を参照して説明された親扉３００に対応する。子扉４００Ｒは、図１を参照して説明された子扉４００に対応する。
【００５３】
親扉３００Ｒは、保持枠３１０Ｒと、カバープレート３２０Ｒと、を含む。保持枠３１０Ｒは、背壁３１２Ｒと、上壁３１３Ｒと、下壁３１４Ｒと、上領域壁３１５Ｒと、下領域壁３１６Ｒと、を含む。背壁３１２Ｒは、図４を参照して説明された背壁３１２に対応する。上壁３１３Ｒは、図４を参照して説明された上壁３１３に対応する。下壁３１４Ｒは、図４を参照して説明された下壁３１４に対応する。上領域壁３１５Ｒは、図４を参照して説明された上領域壁３１５に対応する。下領域壁３１６Ｒは、図４を参照して説明された下領域壁３１６に対応する。第２実施形態の説明は、これらの要素に援用される。
【００５４】
カバープレート３２０Ｒは、上領域壁３１５Ｒ及び下領域壁３１６Ｒに取り付けられる。子扉４００Ｒは、背壁３１２Ｒ、上壁３１３Ｒ、下壁３１４Ｒ、上領域壁３１５Ｒ、下領域壁３１６Ｒ及びカバープレート３２０Ｒによって囲まれる領域内で左右に移動することができる。
【００５５】
左扉１０２は、親扉３００Ｌと、子扉４００Ｌと、を含む。親扉３００Ｌは、戸袋体２００Ｃから左方に突出することができる。子扉４００Ｌは、左連結機構５０２によって、親扉３００Ｌに連結される。子扉４００Ｌは、親扉３００Ｌから左方に突出することができる。
【００５６】
親扉３００Ｌは、保持枠３１０Ｌと、カバープレート３２０Ｌと、を含む。カバープレート３２０Ｌは、保持枠３１０Ｌから取り外し可能である。
【００５７】
保持枠３１０Ｌは、背壁３１２Ｌと、上壁３１３Ｌと、下壁３１４Ｌと、上領域壁３１５Ｌと、下領域壁３１６Ｌと、を含む。背壁３１２Ｌは、図４を参照して説明された背壁３１２に対応する。上壁３１３Ｌは、図４を参照して説明された上壁３１３に対応する。下壁３１４Ｌは、図４を参照して説明された下壁３１４に対応する。上領域壁３１５Ｌは、図４を参照して説明された上領域壁３１５に対応する。下領域壁３１６Ｌは、図４を参照して説明された下領域壁３１６に対応する。第２実施形態の説明は、これらの要素に援用される。
【００５８】
カバープレート３２０Ｌは、上領域壁３１５Ｌ及び下領域壁３１６Ｌに取り付けられる。子扉４００Ｌは、背壁３１２Ｌ、上壁３１３Ｌ、下壁３１４Ｌ、上領域壁３１５Ｌ、下領域壁３１６Ｌ及びカバープレート３２０Ｌによって囲まれる領域内で左右に移動することができる。
【００５９】
右連結機構５０１は、上レール５１１Ｒと、下レール５１２Ｒと、を含む。上レール５１１Ｒ及び下レール５１２Ｒは、背壁３１２Ｒに取り付けられる。上レール５１１Ｒは、下レール５１２Ｒに対して略平行である。上レール５１１Ｒは、下レール５１２Ｒの上方で略水平に延びる。上レール５１１Ｒ及び下レール５１２Ｒは、子扉４００Ｒの左右の運動方向を規定する。本実施形態において、レールは、上レール５１１Ｒ及び下レール５１２Ｒのうち一方によって例示される。
【００６０】
左連結機構５０２は、上レール５１１Ｌと、下レール５１２Ｌと、を含む。上レール５１１Ｌ及び下レール５１２Ｌは、背壁３１２Ｌに取り付けられる。上レール５１１Ｌは、下レール５１２Ｌに対して略平行である。上レール５１１Ｌは、下レール５１２Ｌの上方で略水平に延びる。上レール５１１Ｌ及び下レール５１２Ｌは、子扉４００Ｌの左右の運動方向を規定する。
【００６１】
図７は、プラットホームドア１００Ｃの概略的な正面図である。図６及び図７を参照して、プラットホームドア１００Ｃが説明される。
【００６２】
子扉４００Ｒは、左縁４０１Ｒと、上耳部４０２Ｒと、下耳部４０３Ｒと、を含む。子扉４００Ｒが、親扉３００Ｒから右方に突出したときも、垂直方向に延びる左縁４０１Ｒは、親扉３００Ｒ内に収容されている。上耳部４０２Ｒは、左縁４０１Ｒから左方に突出する。下耳部４０３Ｒは、上耳部４０２Ｒの下方で、左縁４０１Ｒから左方に突出する。
【００６３】
右連結機構５０１は、上スライダ５２１Ｒと、下スライダ５２２Ｒと、を含む。上スライダ５２１Ｒは、上耳部４０２Ｒに固定される。下スライダ５２２Ｒは、下耳部４０３Ｒに固定される。上スライダ５２１Ｒは、上レール５１１Ｒに摺動可能に連結される。下スライダ５２２Ｒは、下レール５１２Ｒに摺動可能に連結される。子扉４００Ｒは、上スライダ５２１Ｒと上レール５１１Ｒとの間の連結並びに下スライダ５２２Ｒと下レール５１２Ｒとの間の連結によって、親扉３００Ｒに対して相対的に左右に移動することができる。本実施形態において、スライダは、上スライダ５２１Ｒ及び下スライダ５２２Ｒのうち一方によって例示される。
【００６４】
親扉３００Ｒは、第１領域と、第１領域の隣の第２領域とに概念的に区分される。親扉３００Ｒが、戸袋体２００Ｃから右方に突出しているときにおいても、第１領域は、戸袋体２００Ｃ内に留まる。一方で、第２領域は、戸袋体２００Ｃから右方に突出する。このとき、図７に示される如く、上スライダ５２１Ｒ及び下スライダ５２２Ｒは、第２領域に位置する。
【００６５】
第２実施形態に関連して説明された原理にしたがって、作業者は、カバープレート３２０Ｒを右方にスライドさせることができる。この結果、カバープレート３２０Ｒは、保持枠３１０Ｒから分離される。カバープレート３２０Ｒが、保持枠３１０Ｒから分離されると、上スライダ５２１Ｒ及び下スライダ５２２Ｒは、保持枠３１０Ｒから露出する。
【００６６】
子扉４００Ｌは、右縁４０１Ｌと、上耳部４０２Ｌと、下耳部４０３Ｌと、を含む。子扉４００Ｌが、親扉３００Ｌから左方に突出したときも、垂直方向に延びる右縁４０１Ｌは、親扉３００Ｌ内に収容されている。上耳部４０２Ｌは、右縁４０１Ｌから右方に突出する。下耳部４０３Ｌは、上耳部４０２Ｌの下方で、右縁４０１Ｌから右方に突出する。
【００６７】
左連結機構５０２は、上スライダ５２１Ｌと、下スライダ５２２Ｌと、を含む。上スライダ５２１Ｌは、上耳部４０２Ｌに固定される。下スライダ５２２Ｌは、下耳部４０３Ｌに固定される。上スライダ５２１Ｌは、上レール５１１Ｌに摺動可能に連結される。下スライダ５２２Ｌは、下レール５１２Ｌに摺動可能に連結される。子扉４００Ｌは、上スライダ５２１Ｌと上レール５１１Ｌとの間の連結並びに下スライダ５２２Ｌと下レール５１２Ｌとの間の連結によって、親扉３００Ｌに対して相対的に左右に移動することができる。
【００６８】
親扉３００Ｌが、戸袋体２００Ｃから左方に突出したとき、子扉４００Ｌは、親扉３００Ｌから突出する。したがって、上スライダ５２１Ｌ及び下スライダ５２２Ｌは、戸袋体２００Ｃの外に位置する。
【００６９】
第２実施形態に関連して説明された原理にしたがって、作業者は、カバープレート３２０Ｌを左方にスライドさせることができる。この結果、カバープレート３２０Ｌは、保持枠３１０Ｌから分離される。カバープレート３２０Ｌが、保持枠３１０Ｌから分離されると、上スライダ５２１Ｌ及び下スライダ５２２Ｌは、保持枠３１０Ｌから露出する。
【００７０】
＜第５実施形態＞
戸袋体は、プラットホーム上の乗客を、軌道空間から常時隔離するので、設計者が、戸袋体に小さな寸法値を与えることが好ましい。第５実施形態において、小さな戸袋体を備えるプラットホームドアが説明される。
【００７１】
図８は、プラットホームドア１００Ｃの概略的な縦断面図である。図７及び図８を参照して、プラットホームドア１００Ｃが説明される。
【００７２】
戸袋体２００Ｃは、主筐体２１０と、蓋体２２０と、２つの主レール２３１，２３２と、を含む。主筐体２１０は、扉部２１１と、奥壁２１２と、支持壁２１３と、仕切壁２１４と、を含む。扉部２１１は、プラットホーム空間に臨む。扉部２１１とは反対側の奥壁２１２は、軌道空間に臨む。支持壁２１３は、右扉１０１と左扉１０２とを支持する。仕切壁２１４は、戸袋体２００Ｃの内部空間を、下空間２４１と上空間２４２とに仕切る。下空間２４１は、扉部２１１、奥壁２１２、支持壁２１３及び仕切壁２１４によって取り囲まれる。右扉１０１及び左扉１０２は、下空間２４１内に配置される。上空間２４２は、仕切壁２１４と蓋体２２０とによって囲まれる。右扉１０１と左扉１０２とを駆動するための様々な電機部品（図示せず）は、上空間２４２内に配置される。本実施形態において、主筐体部は、主筐体２１０によって例示される。第１収容空間は、下空間２４１によって例示される。第２収容空間は、上空間２４２によって例示される。
【００７３】
主レール２３１は、支持壁２１３に固定される。主レール２３１は、左右に延びる。主レール２３２は、主レール２３１と奥壁２１２との間で、支持壁２１３に固定される。主レール２３１と同様に、主レール２３２は、左右に延びる。主レール２３１は、右扉１０１を支持する一方で、主レール２３２は、左扉１０２を支持する。したがって、右扉１０１の変位軌道は、扉部２１１と左扉１０２との間に設定される。左扉１０２の変位軌道は、右扉１０１と奥壁２１２との間に設定される。右扉１０１及び左扉１０２が戸袋体２００Ｃは、前後に重なるので、戸袋体２００Ｃの左右方向の寸法は、小さな値であってもよい。
【００７４】
図７に示される如く、親扉３００Ｒは、２つのスライダ３１７Ｒを含む。２つのスライダ３１７Ｒは、親扉３００Ｒの下壁３１４Ｒに固定される。２つのスライダ３１７Ｒは、主レール２３１に接続される。したがって、親扉３００Ｒは、主レール２３１に沿って左右に移動することができる。
【００７５】
図７に示される如く、親扉３００Ｌは、２つのスライダ３１７Ｌを含む。２つのスライダ３１７Ｌは、親扉３００Ｌの下壁３１４Ｌに固定される。２つのスライダ３１７Ｌは、主レール２３２に接続される。したがって、親扉３００Ｌは、主レール２３２に沿って左右に移動することができる。
【００７６】
＜第６実施形態＞
プラットホームドアを設計する設計者は、親扉を駆動するための駆動機構に様々な構造を与えることができる。第６実施形態において、親扉を駆動するための例示的な駆動機構が説明される。
【００７７】
図９は、プラットホームドア１００Ｃの概略的な横断面図である。図７及び図９を参照して、プラットホームドア１００Ｃが説明される。
【００７８】
戸袋体２００Ｃは、右壁２１５と、左壁２１６と、を含む。右扉１０１は、右壁２１５から突出する。左扉１０２は、左壁２１６から突出する。
【００７９】
プラットホームドア１００Ｃは、駆動源６１０と、主伝達機構６２０と、を含む。図７に示される如く、駆動源６１０は、２つのモータ６１１Ｒ，６１１Ｌを含む。モータ６１１Ｒ，６１１Ｌは、戸袋体２００Ｃの左壁２１６に固定される。モータ６１１Ｒ，６１１Ｌの回転軸は、略水平に設定される。モータ６１１Ｌの下方に配置されたモータ６１１Ｒは、親扉３００Ｒを駆動するための駆動力を発生させる。モータ６１１Ｌは、親扉３００Ｌを駆動するための駆動力を発生させる。図９に示される如く、主伝達機構６２０は、右扉１０１と左扉１０２との間で構築される。
【００８０】
図７に示される如く、主伝達機構６２０は、右伝達機構６２１Ｒと、左伝達機構６２１Ｌと、を含む。左伝達機構６２１の下方において構築された右伝達機構６２１Ｒは、駆動力を、モータ６１１Ｒから親扉３００Ｒへ伝達する。左伝達機構６２１Ｌは、駆動力を、モータ６１１Ｌから親扉３００Ｌへ伝達する。
【００８１】
図７に示される如く、右伝達機構６２１Ｒは、プーリ６２２Ｒ，６２３Ｒと、ベルト６２４Ｒと、クランプ部材６２５Ｒと、を含む。プーリ６２２Ｒは、モータ６１１Ｒに取り付けられる。プーリ６２３Ｒは、右壁２１５に取り付けられる。プーリ６２３Ｒは、ベルト６２４Ｒの張力を調整するための機構を備えてもよい。ベルト６２４Ｒは、上帯部６２６Ｒと、下帯部６２７Ｒと、を含む。上帯部６２６Ｒは、プーリ６２２Ｒ，６２３Ｒの間で延びる。下帯部６２７Ｒは、上帯部６２６Ｒの下方において、プーリ６２２Ｒ，６２３Ｒの間で延びる。クランプ部材６２５Ｒは、親扉３００Ｒの背壁３１２Ｒに取り付けられる。クランプ部材６２５Ｒは、上帯部６２６Ｒを掴む。したがって、駆動力は、モータ６１１Ｒから親扉３００Ｒへ適切に伝達される。
【００８２】
図７に示される如く、左伝達機構６２１Ｌは、プーリ６２２Ｌ，６２３Ｌと、ベルト６２４Ｌと、クランプ部材６２５Ｌと、を含む。プーリ６２２Ｌは、モータ６１１Ｌに取り付けられる。プーリ６２３Ｌは、右壁２１５に取り付けられる。プーリ６２３Ｌは、ベルト６２４Ｌの張力を調整するための機構を備えてもよい。ベルト６２４Ｌは、上帯部６２６Ｌと、下帯部６２７Ｌと、を含む。上帯部６２６Ｌは、プーリ６２２Ｌ，６２３Ｌの間で延びる。下帯部６２７Ｌは、上帯部６２６Ｌの下方において、プーリ６２２Ｌ，６２３Ｌの間で延びる。クランプ部材６２５Ｌは、親扉３００Ｌの背壁３１２Ｌに取り付けられる。クランプ部材６２５Ｌは、下帯部６２７Ｌを掴む。したがって、駆動力は、モータ６１１Ｌから親扉３００Ｌへ適切に伝達される。
【００８３】
図９に示される如く、扉部２１１は、右回動扉２１１Ｒと、左回動扉２１１Ｌと、を含む。右回動扉２１１Ｒは、右壁２１５に取り付けられる。左回動扉２１１Ｌは、左壁２１６に取り付けられる。右回動扉２１１Ｒ及び左回動扉２１１Ｌが開かれると、駆動源６１０及び主伝達機構６２０は、戸袋体２００Ｃから露出する。
【００８４】
図７に示される如く、親扉３００Ｒの背壁３１２Ｒには、上開口部３４１及び下開口部３４２が形成される。親扉３００Ｒが突出位置に配置されたとき、上開口部３４１は、プーリ６２３Ｌに前後に重なる。上開口部３４１の下方に形成された下開口部３４２は、プーリ６２３Ｒに前後に重なる。したがって、作業者は、右回動扉２１１Ｒ及び左回動扉２１１Ｌを開き、駆動源６１０及び主伝達機構６２０に容易にアクセスすることができる。したがって、駆動源６１０及び主伝達機構６２０は、短時間で、点検及び／又は修繕される。
【００８５】
＜第７実施形態＞
駆動源が発生させた駆動力は、主伝達機構を通じて、子扉へ伝達されてもよい。第７実施形態において、駆動源から子扉へ駆動力を伝達するための技術が説明される。
【００８６】
図１０は、プラットホームドア１００Ｃの概略的な横断面図である。図７、図８及び図１０を参照して、プラットホームドア１００Ｃが説明される。
【００８７】
プラットホームドア１００Ｃは、副伝達機構６３０Ｒ，６３０Ｌを含む。副伝達機構６３０Ｒは、モータ６１１Ｒが発生させた駆動力を、右伝達機構６２１Ｒから受け取る。副伝達機構６３０Ｌは、モータ６１１Ｌが発生させた駆動力を、左伝達機構６２１Ｌから受け取る。
【００８８】
親扉３００Ｒは、右壁３５１Ｒと、左壁３５２Ｒと、を含む。子扉４００Ｒは、右壁３５１Ｒから突出する。左壁３５２Ｒは、右壁３５１Ｒとは反対側に配置される。
【００８９】
図７に示される如く、副伝達機構６３０Ｒは、プーリ６３１Ｒ，６３２Ｒと、ベルト６３３Ｒと、クランプ部材６３４Ｒ，６３５Ｒと、を含む。プーリ６３１Ｒは、左壁３５２Ｒの近くで、背壁３１２Ｒに取り付けられる。プーリ６３２Ｒは、右壁３５１Ｒの近くで、背壁３１２Ｒに取り付けられる。ベルト６３３Ｒは、背壁３１２Ｒと子扉４００Ｒとの間で、プーリ６３１Ｒ，６３２Ｒを取り巻く。ベルト６３３Ｒは、上帯部６３６Ｒと、下帯部６３７Ｒと、を含む。クランプ部材６３４Ｒは、子扉４００Ｒの左縁４０１Ｒから延び、上帯部６３６Ｒを掴む。
【００９０】
図１０に示される如く、戸袋体２００Ｃは、ブラケット２５１を含む。ブラケット２５１は、戸袋体２００Ｃの右壁２１５から左方へ突出する。ブラケット２５１は、親扉３００Ｒと、戸袋体２００Ｃの奥壁２１２と、の間に配置される。
【００９１】
図８に示される如く、親扉３００Ｒの背壁３１２Ｒには、スロット３４３が形成される。スロット３４３は、左右に延びる。クランプ部材６３５Ｒは、基部６３８Ｒと、クランプ片６３９Ｒと、を含む。基部６３８Ｒは、ブラケット２５１に取り付けられる。クランプ片６３９Ｒは、基部６３８Ｒから上方に延び、スロット３４３に挿入される。図７に示される如く、クランプ片６３９Ｒは、下帯部６３７Ｒを掴む。この結果、駆動力は、モータ６１１Ｒから子扉４００Ｒへ伝達される。
【００９２】
親扉３００Ｌは、右壁３５１Ｌと、左壁３５２Ｌと、を含む。子扉４００Ｌは、左壁３５２Ｌから突出する。右壁３５１Ｌは、左壁３５２Ｌとは反対側に配置される。
【００９３】
図７に示される如く、副伝達機構６３０Ｌは、プーリ６３１Ｌ，６３２Ｌと、ベルト６３３Ｌと、クランプ部材６３４Ｌ，６３５Ｌと、を含む。プーリ６３１Ｌは、左壁３５２Ｌの近くで、背壁３１２Ｌに取り付けられる。プーリ６３２Ｌは、右壁３５１Ｌの近くで、背壁３１２Ｌに取り付けられる。ベルト６３３Ｌは、背壁３１２Ｌと子扉４００Ｌとの間で、プーリ６３１Ｌ，６３２Ｌを取り巻く。ベルト６３３Ｌは、上帯部６３６Ｌと、下帯部６３７Ｌと、を含む。クランプ部材６３４Ｌは、子扉４００Ｌの右縁４０１Ｌから延び、上帯部６３６Ｌを掴む。
【００９４】
図１０に示される如く、戸袋体２００Ｃは、ブラケット２５２を含む。ブラケット２５２は、戸袋体２００Ｃの奥壁２１２に取り付けられる。ブラケット２５２は、戸袋体２００Ｃの左壁２１６から右方に延びる。
【００９５】
図８に示される如く、親扉３００Ｌの背壁３１２Ｌには、スロット３４４が形成される。スロット３４４は、左右に延びる。クランプ部材６３５Ｌは、基部６３８Ｌと、クランプ片６３９Ｌと、を含む。基部６３８Ｌは、ブラケット２５２に取り付けられる。クランプ片６３９Ｌは、基部６３８Ｌから上方に延び、スロット３４４に挿入される。図７に示される如く、クランプ片６３９Ｌは、下帯部６３７Ｌを掴む。この結果、駆動力は、モータ６１１Ｌから子扉４００Ｌへ伝達される。
【００９６】
図７に示されるモータ６１１Ｒが反時計回りに回転すると、クランプ部材６２５Ｒによって掴まれたベルト６２４Ｒの上帯部６２６Ｒは、左方へ変位する。したがって、クランプ部材６２５Ｒが取り付けられた親扉３１０Ｒは、左方へ変位する。親扉３１０Ｒに取り付けられたプーリ６３１Ｒ，６３２Ｒも左方へ変位する一方で、戸袋体２００Ｃに固定されたクランプ部材５３５Ｒは、ベルト６３３Ｒの下帯部６３７Ｒを掴むので、ベルト６３３Ｒは、反時計回りに周回する。クランプ部材６３４Ｒは、ベルト６３３Ｒの上帯部６３６Ｒを掴むので、クランプ部材６３４Ｒが固定された子扉４００Ｒは、左方へ変位する。したがって、子扉４００Ｒは、親扉３００Ｒの変位速度の２倍の速度で変位することができる。
【００９７】
図７に示されるモータ６１１Ｌが反時計回りに回転すると、クランプ部材６２５Ｌによって掴まれたベルト６２ＬＲの下帯部６２７Ｌは、右方へ変位する。したがって、クランプ部材６２５Ｌが取り付けられた親扉４１０Ｃは、右方へ変位する。親扉３００Ｌに取り付けられたプーリ６３１Ｌ，６３２Ｌも右方へ変位する一方で、戸袋体２００Ｃに固定されたクランプ部材５３５Ｌは、ベルト６３３Ｌの下帯部６３７Ｌを掴むので、ベルト６３３Ｌは、反時計回りに周回する。クランプ部材６３４Ｌは、ベルト６３３Ｌの上帯部６３６Ｌを掴むので、クランプ部材６３４Ｌが固定された子扉４００Ｌは、右方へ変位する。したがって、子扉４００Ｌは、親扉３００Ｌの変位速度の２倍の速度で変位することができる。
【００９８】
図１０に示される如く、カバープレート３２０Ｒは、第２領域において、副伝達機構６３０Ｒを覆う。カバープレート３２０Ｌは、戸袋体２００Ｃから突出した領域において、副伝達機構６３０Ｌを覆う。したがって、プラットホーム空間に存在する乗客は、副伝達機構６３０Ｒ，６３０Ｌに接触することはできない。作業者は、専用の工具を用いて、カバープレート３２０Ｒ，３２０Ｌを取り外すことができる。この結果、作業者は、短時間で、副伝達機構６３０Ｒ，６３０Ｌを点検及び／又は修繕することができる。
【００９９】
＜第８実施形態＞
カバープレートは、承認された者のみに取り外されることが好ましい。第８実施形態において、承認された者のみが取り外すことができるカバープレートを備えるプラットホームドアが説明される。
【０１００】
図１１は、保持枠３１０Ｒの概略的な右側面図である。図６及び図１１を参照して、保持枠３１０Ｒが説明される。親扉３００Ｌは、親扉３００Ｒと左右対称の構造を有するので、親扉３００Ｒに関する説明は、親扉３００Ｌにも適用可能である。
【０１０１】
保持枠３１０Ｒは、上補強部材３６０と、下補強部材３７０と、を含む。上補強部材３６０は、右壁３５１Ｒと左壁３５２Ｒとの間で左右に延びる。下補強部材３７０は、上補強部材３６０の下方において、右壁３５１Ｒと左壁３５２Ｒとの間で左右に延びる。
【０１０２】
上補強部材３６０は、略Ｃ型の断面を有する。上補強部材３６０は、前板３６１と、上板３６２と、後板３６３と、を含む。前板３６１は、上領域壁３１５Ｒに重なる重畳領域３６４と、上領域壁３１５Ｒから下方に突出する突出領域３６５と、を含む。前板３６１は、上領域壁３１５Ｒから下方にはみ出す。上板３６２は、上壁３１３Ｒに当接される。後板３６３は、背壁３１２Ｒに当接される。
【０１０３】
下補強部材３７０は、略Ｃ型の断面を有する。下補強部材３７０は、前板３７１と、下板３７２と、後板３７３と、を含む。前板３７１は、下領域壁３１６Ｒに重なる重畳領域３７４と、下領域壁３１６Ｒから上方に突出する突出領域３７５と、を含む。下板３７２は、下壁３１４Ｒに当接される。後板３７３は、背壁３１２Ｒに当接される。
【０１０４】
図１２は、カバープレート３２０Ｒの概略的な斜視図である。図６、図１１及び図１２を参照して、カバープレート３２０Ｒが説明される。
【０１０５】
カバープレート３２０Ｒは、上縁面３２１Ｒと下縁面３２２Ｒとを含む。上縁面３２１Ｒ及び下縁面３２２Ｒそれぞれには、左右に延びる溝部が形成される。図１１を参照して説明された上側の突出領域３６５は、上縁面３２１Ｒの溝部に嵌め込まれる。図１１を参照して説明された下側の突出領域３７５は、下縁面３２２Ｒの溝部に嵌め込まれる。
【０１０６】
カバープレート３２０Ｒは、左領域３２７と、右領域３２８と、を含む。親扉３００Ｒが突出位置にあるとき、右領域３２８は、戸袋体２００Ｃの右方に現れる。親扉３００Ｒが収容位置にあるとき、右領域３２８は、戸袋体２００Ｃ内に収容される。一方、左領域３２７は、親扉３００Ｒの位置とは関係なく、戸袋体２００Ｃ内に常に配置される。
【０１０７】
図１３Ａは、上補強部材３６０周りにおける保持枠３１０Ｒの拡大右側面図である。図１３Ｂは、下補強部材３７０周りにおける保持枠３１０Ｒの拡大右側面図である。図８、図１２乃至図１３Ｂを参照して、プラットホームドア１００Ｃが説明される。
【０１０８】
図８に示される如く、戸袋体２００Ｃは、扉部２１１に取り付けられた鍵部２６０を含む。作業者は、専用の鍵を用いて、鍵部２６０を施錠することができる。この結果、扉部２１１は、下空間２４１を閉じる閉位置に固定される。作業者が、専用の鍵を用いて、鍵部２６０を解錠すると、扉部２１１は、下空間２４１を開放する開位置へ変位可能である。鍵部２６０は、市販される様々な鍵部品であってもよい。本実施形態の原理は、鍵部２６０として利用される特定の鍵部品に限定されない。本実施形態において、扉体は、扉部２１１によって例示される。
【０１０９】
図１２に示される如く、第１領域に対応する左領域３２７には、取付穴３８１，３８２が形成される。取付穴３８２は、取付穴３８１の下方に位置する。
【０１１０】
図１３Ａに示される如く、突出領域３６５には、取付穴３６６が形成される。カバープレート３２０Ｒが、保持枠３１０Ｒに取り付けられると、取付穴３８１は、突出領域３６５の取付穴３６６に重なる。
【０１１１】
図１３Ｂに示される如く、突出領域３７５には、取付穴３７６が形成される。カバープレート３２０Ｒが、保持枠３１０Ｒに取り付けられると、取付穴３８２は、突出領域３７５の取付穴３７６に重なる。
【０１１２】
図１２に示される如く、親扉３００Ｒは、締結具３９１，３９２（たとえば、ビス）を含む。締結具３９１は、取付穴３８１，３６６に挿通される。締結具３９２は、取付穴３８２，３７６に挿通される。この結果、カバープレート３２０Ｒは、保持枠３１０Ｒに固定される。締結具３９１，３９２は、戸袋体２００Ｃに囲まれた第１領域内で、カバープレート３２０Ｒを保持枠３１０Ｒに固定するので、鍵部２６０が解錠されないならば、何人も締結具３９１，３９２に触ることができない。作業者は、鍵部２６０を解錠し、扉部２１１を開位置へ回動させた後、締結具３９１，３９２を取り外すことができる。本実施形態において、第１締結具は、締結具３９１，３９２のうち一方によって例示される。
【０１１３】
図１２に示される如く、カバープレート３２０Ｒは、第２領域に現れる右縁棒３９５を含む。右縁棒３９５は、カバープレート３２０Ｒの右縁を形成する。右縁棒３９５は、上端部３９６と、下端部３９７と、を含む。上端部３９６は、上縁面３２１Ｒから上方に突出する。下端部３９７は、下縁面３２２Ｒから下方に突出する。上端部３９６には、取付穴３９８が形成される。下端部３９７には、取付穴３９９が形成される。
【０１１４】
図１３Ａ及び図１３Ｂに示される如く、右壁３５１Ｒには、取付穴３５３，３５４が形成される。取付穴３５３は、上板３６２と後板３６３とによって規定される角隅部内に形成される。取付穴３５４は、下板３７２と後板３７３とによって規定される角隅部内に形成される。カバープレート３２０Ｒが保持枠３１０Ｒに取り付けられると、右縁棒３９５の取付穴３９８は、右壁３５１Ｒの取付穴３５３に重なる。カバープレート３２０Ｒが保持枠３１０Ｒに取り付けられると、右縁棒３９５の取付穴３９９は、右壁３５１Ｒの取付穴３５４に重なる。
【０１１５】
図１２に示される如く、親扉３００Ｒは、締結具３９３，３９４（たとえば、ビス）を含む。締結具３９３は、取付穴３９８，３５３に挿通される。締結具３９４は、取付穴３９９，３５４に挿通される。この結果、カバープレート３２０Ｒは、保持枠３１０Ｒに固定される。
【０１１６】
締結具３９１，３９２は、カバープレート３２０Ｒの摺動方向（右方又は左方）に交差する交差方向において、カバープレート３２０Ｒを貫くので、剪断力は、締結具３９１，３９２に働きやすい。しかしながら、締結具３９３，３９４は、締結具３９１，３９２とは異なり、カバープレート３２０Ｒを左方に貫くので、カバープレート３２０Ｒの不必要な摺動を生じさせない。したがって、締結具３９１，３９２は破断しにくくなる。本実施形態において、第２締結具は、締結具３９３，３９４のうち一方によって例示される。
【０１１７】
＜第９実施形態＞
戸袋体は、駆動源を制御する制御部を収容する収容空間を有してもよい。この場合、作業者は、戸袋体の近くで、駆動源や他の電気機器を点検及び／又は修繕することができる。戸袋体の近くには、一般の乗客が存在するので、多くの場合、乗客が、制御部に触れないように、戸袋体は、多数の鍵部を有する。専用の鍵なしでは、乗客は、制御部にアクセスすることはできない。しかしながら、多数の鍵部は、非効率な作業に帰結する。作業者は、電気的な点検や修繕を行うために、戸袋体に設けられた複数の鍵部を解錠しなければならない。第９実施形態において、制御部を、少ない鍵部を用いて、乗客から適切に隔離するための技術が説明される。
【０１１８】
図１４は、戸袋体２００Ｃの概略的な縦断面図である。図７及び図１４を参照して、プラットホームドア１００Ｃが説明される。
【０１１９】
モータ６１１Ｒ，６１１Ｌを制御する制御装置ＣＴＲは、仕切壁２１４と蓋体２２０とによって囲まれた上空間２４２内に配置される。制御装置ＣＴＲは、列車の通過や停止に応じて自動的にモータ６１１Ｒ，６１１Ｌを制御する制御プログラムを実行する回路を含んでもよい。加えて、制御装置ＣＴＲは、モータ６１１Ｒ，６１１Ｌを手動式に操作するためのインターフェース（たとえば、ボタンやスイッチ）を備えてもよい。本実施形態の原理は、制御装置ＣＴＲの特定の機能や特定の構造に限定されない。本実施形態において、制御部は、制御装置ＣＴＲによって例示される。第２収容空間は、上空間２４２によって例示される。
【０１２０】
蓋体２２０は、背壁２２１と、回動壁２２２と、ヒンジ２２３と、を含む。背壁２２１は、奥壁２１２から連続的に上方に延びる。回動壁２２２は、仕切壁２１４の上方で横たわる。ヒンジ２２３は、回動壁２２２を背壁２２１に接続する。回動壁２２２は、ヒンジ２２３周りに回動可能である。回動壁２２２には、鍵付き窓が設けられてもよい。この場合、作業者は、鍵付き窓を解錠し、制御装置ＣＴＲを手動式に操作することができる。本実施形態の原理は、回動壁２２２の特定の構造に限定されない。
【０１２１】
戸袋体２００Ｃは、接続機構２７０を更に含む。接続機構２７０は、蓋体２２０と仕切壁２１４とを接続する。接続機構２７０は、下空間２４１内に配置されるので、鍵部２６０の解錠なしでは、アクセスされない。作業者は、専用の鍵を用いて、鍵部２６０を解錠することができる。作業者は、その後、扉部２１１を開くことができる。この結果、作業者は、下空間２４１へアクセスし、様々な作業を行うことができる。
【０１２２】
図１５は、接続機構２７０の概略的な拡大図である。図１４及び図１５を参照して接続機構２７０が説明される。
【０１２３】
接続機構２７０は、上フック２７１と、下フック２７２と、レバー２７３と、ブラケット２７４と、シャフト２７５，２７６と、を含む。上フック２７１は、蓋体２２０に取り付けられる。下フック２７２は、上フック２７１に係合される。ブラケット２７４は、仕切壁２１４に固定される。シャフト２７５は、ブラケット２７４に取り付けられる。レバー２７３は、シャフト２７５に接続される。レバー２７３は、シャフト２７５周りに上下に回動可能である。シャフト２７６は、レバー２７３に取り付けられる。下フック２７２は、シャフト２７６に接続される。下フック２７２は、シャフト２７６周りに回動可能である。本実施形態において、第１フックは、上フック２７１によって例示される。
【０１２４】
作業者が、下フック２７２を上フック２７１に係合させた後、レバー２７３を下方に回動させると、下フック２７２は、引張方向に弾性変形する。この結果、下フック２７２は、上フック２７１に強く係合されることとなる。したがって、蓋体２２０は、適切にロックされることとなる。
【０１２５】
作業者が、その後、レバー２７３を上方に回動させると、下フック２７２の弾性変形は、解除される。作業者は、その後、下フック２７２を下方に回動させ、上フック２７１と下フック２７２との間の係合を解除することができる。この結果、蓋体２２０は、回動可能になる。
【０１２６】
作業者は、上フック２７１と下フック２７２との間の係合を解除した後、蓋体２２０を上方へ回動させることができる。この結果、作業者は、制御装置ＣＴＲにアクセスし、様々な作業を行うことができる。
【０１２７】
上述の様々な実施形態の原理は、駅の設備に要求される仕様に適合するように、組み合わされてもよい。
【産業上の利用可能性】
【０１２８】
上述の実施形態の原理は、列車が停車するプラットホームの設備として好適に利用される。
【符号の説明】
【０１２９】
１００，１００Ｃ・・・・・・・・・・・・・・・・・・・・プラットホームドア
２００，２００Ｃ・・・・・・・・・・・・・・・・・・・・戸袋体
２１０・・・・・・・・・・・・・・・・・・・・・・・・・主筐体
２１１・・・・・・・・・・・・・・・・・・・・・・・・・扉部
２２０・・・・・・・・・・・・・・・・・・・・・・・・・蓋体
２４１・・・・・・・・・・・・・・・・・・・・・・・・・下空間
２４２・・・・・・・・・・・・・・・・・・・・・・・・・上空間
２６０・・・・・・・・・・・・・・・・・・・・・・・・・鍵部
２７０・・・・・・・・・・・・・・・・・・・・・・・・・接続機構
２７１・・・・・・・・・・・・・・・・・・・・・・・・・上フック
２７２・・・・・・・・・・・・・・・・・・・・・・・・・下フック
２７３・・・・・・・・・・・・・・・・・・・・・・・・・レバー
３００，３００Ａ，３００Ｂ，３００Ｌ，３００Ｒ・・・・・親扉
３１０，３１０Ａ，３１０Ｂ，３１０Ｌ，３１０Ｒ・・・・・保持枠
３１５，３１５Ｂ，３１５Ｌ，３１５Ｒ・・・・・・・・・・上領域壁
３１６，３１６Ｂ，３１６Ｌ，３１６Ｒ・・・・・・・・・・下領域壁
３１８・・・・・・・・・・・・・・・・・・・・・・・・・上縁面
３１９・・・・・・・・・・・・・・・・・・・・・・・・・下縁面
３２０，３２０Ａ，３２０Ｂ，３２０Ｌ，３２０Ｒ・・・・・カバープレート
３２１，３２１Ｒ・・・・・・・・・・・・・・・・・・・・上縁面
３２２，３２２Ｒ・・・・・・・・・・・・・・・・・・・・下縁面
３２３・・・・・・・・・・・・・・・・・・・・・・・・・上溝
３２４・・・・・・・・・・・・・・・・・・・・・・・・・下溝
３３１・・・・・・・・・・・・・・・・・・・・・・・・・上溝
３３２・・・・・・・・・・・・・・・・・・・・・・・・・下溝
３６５，３７５・・・・・・・・・・・・・・・・・・・・・突出領域
３９１〜３９４・・・・・・・・・・・・・・・・・・・・・締結具
４００，４００Ｌ，４００Ｒ・・・・・・・・・・・・・・・子扉
５００・・・・・・・・・・・・・・・・・・・・・・・・・連結機構
５０１・・・・・・・・・・・・・・・・・・・・・・・・・右連結機構
５０２・・・・・・・・・・・・・・・・・・・・・・・・・左連結機構
５１１Ｌ，５１１Ｒ・・・・・・・・・・・・・・・・・・・上レール
５１２Ｌ，５１２Ｒ・・・・・・・・・・・・・・・・・・・下レール
５２１Ｌ，５２１Ｒ・・・・・・・・・・・・・・・・・・・上スライダ
５２２Ｌ，５２２Ｒ・・・・・・・・・・・・・・・・・・・下スライダ
ＣＴＲ・・・・・・・・・・・・・・・・・・・・・・・・・制御装置
ＰＬＦ・・・・・・・・・・・・・・・・・・・・・・・・・プラットホーム
【図１】
0006660087.tif 000002
【図２】
0006660087.tif 000003
【図３】
0006660087.tif 000004
【図４】
0006660087.tif 000005
【図５】
0006660087.tif 000006
【図６】
0006660087.tif 000007
【図７】
0006660087.tif 000008
【図８】
0006660087.tif 000009
【図９】
0006660087.tif 000010
【図１０】
0006660087.tif 000011
【図１１】
0006660087.tif 000012
【図１２】
0006660087.tif 000013
【図１３Ａ】
0006660087.tif 000014
【図１３Ｂ】
0006660087.tif 000015
【図１４】
0006660087.tif 000016
【図１５】
0006660087.tif 000017